(57)【要約】  本明細書に開示するシステム、方法、及び装置には、実画像表示モードでコンテンツを提供するように構成された第１表示画面構成要素（３０２）と、仮想画像モードでコンテンツを提供するように構成された第２表示画面構成要素（２０２）と、近接センサ（３１８）と、近接センサ（３１８）への所定の距離内にあるユーザ（１０２）等の対象物を近接センサ（３１８）が検出した時、仮想画像表示画面構成要素（２０２）を起動し、また、実画像表示画面構成要素（３０２）を停止するための、近接センサ（３１８）と通信状態にある自動切換モジュール（７０４）と、が含まれる。
2008518368.tif 000002
【特許請求の範囲】
【請求項１】
電子装置であって、
第１表示モードでコンテンツを提供するように構成された第１表示画面構成要素と、
第２表示モードでコンテンツを提供するように構成された第２表示画面構成要素と、
近接センサと、
前記近接センサへの所定の距離内にある対象物を前記近接センサが検出した時、前記第１表示モードを起動するための、前記近接センサと通信状態にある第１スイッチと、
が含まれる電子装置。
【請求項２】
前記第１表示画面構成要素が、視野を拡張してコンテンツを提供するように構成されている請求項１に記載の電子装置。
【請求項３】
前記近接センサが前記近接センサへの所定の距離内にある対象物を検出した時、前記第１スイッチは、前記第２表示モードを停止する請求項２に記載の電子装置。
【請求項４】
前記第２表示画面構成要素は、実画像でコンテンツを提供するように構成されている請求項２に記載の電子装置。
【請求項５】
更にタッチ検出システムが含まれる請求項１に記載の電子装置。
【請求項６】
前記第１表示画面構成要素、前記第２表示画面構成要素、及び前記タッチ検出システムは、並列に配置される請求項５に記載の電子装置。
【請求項７】
前記タッチ検出システムは、前記第１表示画面構成要素の上に配置される請求項５に記載の電子装置。
【請求項８】
前記タッチ検出システムは、前記第１表示画面構成要素の下に配置される請求項５に記載の電子装置。
【請求項９】
前記近接センサが前記近接センサへの所定の距離内にある対象物の検出を失敗した時、前記第１スイッチは、前記第１表示モードを停止する請求項１に記載の電子装置。
【請求項１０】
前記近接センサが前記近接センサへの所定の距離内にある対象物の検出を失敗した時、前記第１スイッチは、前記第２表示モードを起動する請求項１に記載の電子装置。
【請求項１１】
前記第１表示画面構成要素は、前記第２表示画面構成要素と重なり合う請求項１に記載の電子装置。
【発明の詳細な説明】
【技術分野】
【０００１】
本発明は、一般的に、電子装置及びその表示システムに関し、特に、１つ以上の表示画面上に複数のモードを表示し、また、それらを自動的切り換えるための方法及び装置に関する。
【背景技術】
【０００２】
無線ネットワークは、有線及び無線リンクの双方を介してデジタルデータを送信するために用いられる。無線ネットワークの例は、携帯電話ネットワーク、ポケベルネットワーク、及びインターネットネットワークである。そのような無線ネットワークは、陸上通信線、無線リンク及び衛星リンクを含み、携帯電話システム、インターネットシステム、コンピュータネットワーク、ポケベルシステム及び他の衛星システム等の目的に用い得る。そのような無線ネットワークは、益々普及しつつあり、容量は、益々大きくなりつつある。大量の情報やデータが無線ネットワークを介して送信され、人々の仕事や個人生活のありふれた一部になりつつある。
【０００３】
デジタルデータの伝達には、テキスト、音声、画像及び映像データの伝達が含まれる。技術の進歩に伴い、他のデータの伝達が行われており、また、行われる可能性がある。ユーザは、対話形式で（例えば、インターネットナビゲーション等の際、命令又は要求を送ることによって）データを取得したり、受動的に（例えば、データを受信あるいは自動的に送信することによって）データの取り込み（データの使用及び／又は記憶）を行ったりし得る。
【０００４】
また、無線ネットワークは、データの送受信を行う装置の変化をもたらした。多種多様な携帯無線装置が、無線ネットワークと共に開発されている。そのような携帯無線装置には、例えば、携帯電話、ポケベル、無線機、携帯情報端末（ＰＤＡ）、無線モデムを組み込んだノート型又はラップトップコンピュータ、移動データ端末、特定用途ゲーム機、無線モデムを組み込んだビデオゲーム機等が含まれる。
【０００５】
無線技術は、ハイコンテンツデータの伝達を含むまでに進歩した。現在、移動装置には、インターネット接続を含み得る。しかしながら、電子装置の画面サイズが３インチであるという制限によって、１９インチ以上のコンピュータ画面によって表示されたものと比較して、提供されるウェッブ体験は不完全である。インターネットプロバイダは、インターネット可能な携帯電話に送られるデータを制限することによって、携帯装置の画面サイズを補ってきた。また、移動装置は、受信データの量を低減するように構成し得る。
【０００６】
また、携帯電話技術の能力が拡大して、ユニットの筐体内部の空間には余裕がない。構成要素容積を低減する機会や、追加的な及び改善型の構成要素又はより小型の携帯電話を提供する機会が頻繁に検討されている。
【発明の開示】
【発明が解決しようとする課題】
【０００７】
閲覧者の眼に画像を投射するように、コンテンツの多次元閲覧用の出力を表示し得る電子装置のためのシステム、方法、及び装置を本明細書に開示する。  
移動装置又は携帯電話等の電子装置は、多次元データを受信し、処理し、表示し、また、そのデータを閲覧者の視界に表示することが可能である。現在の環境では、ほとんどのウェッブブラウジングが、ＷＡＰプロトコルを用いて、通常の携帯電話におけるサイズの表示装置上で行われる。（通常、ＰＤＡのように表示装置のサイズが大きい）３Ｇハンドセットの中には、ＨＴＭＬブラウジングが可能なものがある。
【課題を解決するための手段】
【０００８】
本装置には、表示画面がユーザの眼に近接して置かれた時、拡大視野を可能にする基板が含まれる。拡大視野基板は、高解像度仮想画像を提供し、また、装置の近接センサが所定の距離パラメータ内にある対象物を検出した時、自動的に起動される。装置の近接センサがそのような対象物を検出するまで、基板は、停止状態であり、また、ほぼ透明である。
【０００９】
また、本明細書において述べる方法、システム及び装置には、更に、上述した高解像度基板と並列にタッチ検出システムが含まれる。タッチ画面は、拡大視野を可能にする基板が起動された時、停止される。
【００１０】
更に、本システム及び装置には、密閉された光学／音響室が装置の筐体内に含まれる。上述した光学構成要素は、スピーカ用の支持が含まれる構造によって移動装置の筐体内に支持される。スピーカ支持には、更に、スピーカが用いられる時、画像劣化を防止する防振機能を含み得る。
【００１１】
本開示は、本発明に基づき様々な実施形態を実現し用いる最良の形態について権能付与的に更に説明するために提供される。更に、本開示は、本発明を如何ように限定するよりもむしろ、本発明の原理及びその優位点に対する理解及び認識を強化するために提示される。本発明は、本出願のあらゆる補正及び発行された請求項の全ての等価物を含む添付の請求項によってのみ規定される。
【００１２】
更に、関連用語の用途、もしあれば、第１及び第２、上及び下等は、エンティティや動作を、そのようなエンティティ又は動作間のいずれか実際のそのような関係や順番を必ずしも要求したり暗示したりすることなく、あるものを他のものと識別するためだけに用いられることを理解されたい。多くの本発明による機能及び多くの本発明による原理は、ソフトウェアプログラム又は命令及び特定用途向けＩＣ等の集積回路（ＩＣ）によって又はそれらにおいて最適に実現される。当業者は、例えば、利用可能な時間、現在の技術、及び経済的な考慮によって動機付けられる恐らく多大な労力や多くの設計選択肢にもかかわらず、本明細書に開示された概念及び原理によって導かれると、最小の実験でそのようなソフトウェア命令及びプログラム及びＩＣを容易に生成し得ることが予想される。従って、簡潔にするために、また、本発明による原理及び概念が不明瞭になるあらゆるリスクを最小限に抑えるために、もしあれば、そのようなソフトウェア及びＩＣに関する更なる議論は、好適な実施形態内における原理及び概念を基準にした本質的なものに限定する。
【発明を実施するための最良の形態】
【００１３】
図１は、眼近接モードで電子装置を操作するユーザ及びユーザによって知覚された画像の特徴図を示す。図示のユーザ１０２は、自分の眼１０６（対象物）の付近又は近傍に電子装置１０４を有している。本電子装置は、例えば、携帯電話、ポケベル、無線機、携帯情報端末（ＰＤＡ）、無線モデムを組み込んだノート型又はラップトップコンピュータ、移動データ端末、特定用途向けゲーム機、無線モデムを組み込んだビデオゲーム機等の図１に示す移動装置であってよい。また、本電子装置は、例えば、デスクトップコンピュータ、テレビ受信機、ビデオゲーム等の非移動装置であってよい。
【００１４】
装置に応じて、コンテンツの多次元閲覧は、装置から異なる距離において起こり得る。ここでは、小さい画面を備えた携帯電話等の電子装置について議論する。大きな画面を備えた装置も同様に用いることができ、また、異なる距離において多次元閲覧モードで閲覧し得る。これらの内のいずれも、デジタルネットワークと通信を行い、インターネット、又はローカルエリアネットワーク（ＬＡＮ）、ワイドエリアネットワーク（ＷＡＮ）、仮想専用ネットワーク（ＶＰＮ）等のネットワークに含まれたり、あるいは、接続されたりしてよい。また、データは、ＣＤ、ＤＶＤ又はデータスティック等のネットワーク接続されていないデータ供給源から画面上に表示したり、ハンドセットメモリに埋め込んだりしてよい。
【００１５】
図１の電子装置１０４には、通常の携帯電話の寸法を有するあるサイズの表示画面１０８を含み得る。図１に示す表示画面サイズは、例示目的であり、図面に示したものより大きくても小さくてもよい。図１は、例示として、電子装置１０４を通り越した位置に仮想画像投影図１１０を示す。投影図は、ユーザ１０２が、電子装置１０４の眼近接動作において仮想画像の拡大視野によって体験するであろう画像の大きさを示すように意図されている。画像は、閲覧者の眼に投射され、閲覧者の視界に画像が表示される。眼近接動作モードにおいて、画像は、眼の中に投射され、眼が拡大視野を生成する。拡大視野は、通常閲覧モードで閲覧される標準画像又は実画像あるいは近実画像（以下実画像と称する）より高い解像度を有する。また、画面サイズは、眼近接モードでは、より大きく見える。従って、ユーザ１０２には、眼近接モードでは、より多くのコンテンツが見える。
【００１６】
通常閲覧モードにおいて、ユーザ１０２は、通常、電子装置１０４を、本例では、表示装置１０８を有する携帯電話を、自分の眼から４５ｃｍ乃至６０ｃｍ（約１８インチ乃至２４インチ）の間で保持し得る。本明細書において述べる技術では、実画像表示装置が、電子装置１０４において通常閲覧モードで動作する。携帯電話用の眼近接モードでは、ユーザ１０２は、自分の眼から約１乃至４インチ（約２．５ｃｍ乃至１０ｃｍ）の位置に表示装置１０８を保持する。しかしながら、例えば、閲覧するための距離は、用いられる表示装置の種類、ユーザの視力、ユーザの好み、装置構成、表示装置のサイズ、データの種類に依存する。
【００１７】
例示した本例では、表示画面１０８の対角表示開口部（又は光ガイド光学基板に現れる際の画像のサイズ）は、１．５インチ（約３．５ｃｍ）である。３０度の視野（対角線上）の場合、このことは、約３４インチ（８０ｃｍ）の距離から２０インチ（４８ｃｍ）のコンピュータ／ラップトップ画面を閲覧することに相当し得る。
【００１８】
仮想画像表示は、特定の表示例に応じて、対角画面サイズより小さい距離において起動し得る。画面が大きくなると、仮想画像を起動する距離は短くてよく、他方、画面が小さくなると、仮想画像を起動する距離は長くなる可能性がある。
【００１９】
図１に示す眼近接モードでは、ユーザは、リッチな高解像度マルチメディア体験を可能にし得る高速のデータ速度でデータを受信し得る。表示画面１０８は、拡大視野を可能にする１つ又は複数の構成要素を有する。図２は、高解像度仮想画像を生成するために用いられる光学要素２０２及び或る構成要素を示す。光学要素２０２において、画像２０４焦点面は、本質的に無限大にあり、仮想画像を提供する。上述したように、光学要素２０２は、画像が眼の中に投射されることから、閲覧者の体験を強化する視野を提供する。
【００２０】
図３は、一方が仮想画像を提供する光学要素２０２、他方が実画像又は近実画像ＬＣＤ３０２である２つの基板を有する電子装置を表す。画像２０６は、小型表示装置ＶＧＡ＋３０６（又は（実画像の場合）これより低い又は（仮想画像の場合）これより高い解像度）を介して送信され、コリメータ３１４によって２０８及び２１０の方向に送られ、そして、光学要素２０２によって導かれる。一実施形態において、部分的に反射する内面を備えた薄くて実質的に透明な光学板を有するルーモス（Ｌｕｍｕｓ）社製の基板ガイド型光学装置又は光ガイド製品は、この眼近接モードに用いられる。また、他の製品、即ち、電子装置画面の通常閲覧より近くで閲覧した時、拡大視野を提供する製品も用い得る。
【００２１】
図３において、透明光学要素２０２は、電子装置の筐体３０４内で実画像ＬＣＤ３０２上に配置される。このようにして、透明光学要素２０２を通って出力され小型表示装置３０６によって生成された仮想画像が停止された時、実画像ＬＣＤ３０２は、それを通して閲覧し得る。他方、透明光学要素２０２によって表示される仮想画像が小型表示装置３０６によって生成された時、実画像ＬＣＤ３０２用に生成された実画像は、停止される。そして、眼近接モードで、ユーザは、透明光学要素２０２によって表示された仮想画像を知覚する。他の選択肢として、他の実施形態において、通常の閲覧モード及び眼近接モードは、組合せモードで同時に閲覧し得る。３Ｄシミュレーション、ムード・シェーディング等の効果や他の効果が、組合せモードで利用可能なことがある。
【００２２】
一実施形態において、近接センサ３１８は、小型表示装置３０６と、近接センサ３１８への所定の距離内にある対象物（ユーザ）を近接センサ３１８が検出した時、仮想画像表示装置の光学要素２０２上でその後閲覧される仮想画像と、を起動するためのスイッチと通信状態にある。また、このイベントによって、実画像ＬＣＤ３０２は、停止する。逆に、近接センサへの所定の距離内にある対象物を近接センサが検出しない場合、実画像ＬＣＤ３０２の画像が起動され、光学要素２０２の画像が停止される。同様に、キーパッド３２０の一部であるハード又はソフトキーを用いて、ユーザが手動でモードを変更してもよい。
【００２３】
場合によっては、いずれかの表示装置の表示能力水準が可変であってよく、また、いずれかの構成要素の起動及び停止が段階的であってよい。更に、他の実施形態において、実画像ＬＣＤを筐体に含まないように、光学要素２０２は、画像形成水準が可変、即ち、実画像から仮想画像まで可変であってよい。図４は、少なくとも２つのモードで動作可能な単一の基板を有する電子装置を表す。図４は、実画像又は近実画像表示及び仮想画像双方を出力可能な光学要素４０２である単一の表示要素を示す。
【００２４】
図３に戻ると、光学部品及び電子回路は、筐体内における構造体によって支持される。光学部品には、小型表示装置ＶＧＡ＋３０６、収束レンズ３０８及び３１０、反射板３１２（又はプリズム）、及びコリメータ３１４を含み得る。また、バックライト３１６及び支持体もこの図に示す。近接センサ３１８は、センサ３１８がユーザの額を検知するように、筐体の頂部遠端に配置して示す。センサは、任意の種類のものであってよく、切換機構に入力を供給する任意の場所に配置し得る。
【００２５】
図５は、２つの閲覧モードを切り換え、また、タッチ画面システムをオン／オフするための方法を表すフローチャートである。本方法には、図３に示すように、２つの表示層２０２及び３０２によって表示される画像の起動及び停止が含まれる。また、本方法は、３つ以上のモードを含む電子装置に適用可能である。
【００２６】
センサ３１８は、ハンドセットとのユーザ対話を監視する５０２。ハンドセットから所定の距離内に対象物がある場合５０２、近接センサが、５０４において起動される。そして、システムは、仮想画像の表示に利用可能なデータがあるかどうか問い合わせる。即ち、システムは、実画像ＬＣＤ表示装置上に強調表示された適切なウェッブサイトダウンロード、画像又は他のリンクがあるかどうか問い合わせる５０６。更に、他の設定によって、ユーザは、例えば、ページがロードされるのを待ちつつ、眼近接モードに留まったり、即ち、近接センサスイッチを無効にしたり、又はハンドセットを置いて他のタスクに対応したりできる。
【００２７】
簡単に図６を参照すると、２種類の表示出力モードのコンテンツが示されている。表示６０２は、実画像ＬＣＤ３０２の出力である通常閲覧モードである。表示６０４は、光学要素２０２の出力である眼近接モードである。表示６０２は、ユーザが、ＣＮＮの天気、株式、及びメッセージ用のウェッブリンクにアクセスしたことを示す。フィールドは、“天気”６０６が強調表示されるようにスクロールされる。表示６０４には、詳細な天気マップの仮想画像６０８が含まれる。この仮想画像は、全表示６０４を占有し、詳細な天気マップ、又は“現在の気温７０度及び快晴”という文字で見出しが付けられた時間と共に変わる天気マップの映像を示し得る。
【００２８】
システムの対話式利用は、タッチ画面を用いることによって達成し得る。従って、ユーザは、図６において強調表示されている“天気”の位置で画面にタッチし得る。他の選択肢として、移動装置は、例えば、図３に示すキーパッド３２０上にハード又はソフト選択ボタンを有し得る。対話式利用の他の入力方法には、例えば、音声命令を含み得る。
【００２９】
次に、図５に戻ると、適切なウェッブリンク、画像、又は強調表示された他のリンクがある場合、システムは、ステップ５０８において、実画像ＬＣＤ３０２を停止し、小型表示装置３０６を起動して、仮想画像表示装置２０２の光学要素を通過する仮想画像を送信する。リンクの強調表示には、色を明るくしたり又は変えたり、下線を施したり、太字にしたり、活字サイズを大きくしたり、もしくは、項目を表示したりする処理が含まれる。電子装置上でリストをスクロールする際、スクロールされる項目は、通常、何らかの方法で強調表示される。しかしながら、タッチ画面が用いられる場合、画面上で項目を軽くたたくと、通常、その項目が強調表示される。２回軽くたたくと、そのリンクが起動される（例えば、項目を開いたり、番号をダイヤルしたり、又は同様なアクションが起動される）。
【００３０】
視覚的強調表示に加えて又は他の選択肢として、音声制御を動作して、リンクを強調表示又は起動し得る。ユーザは、“スクロール”と声を発して、リストの最初の項目を強調表示し得る。そして、ユーザは、“次”、“次”、そして“選択”と声を発して、リンクを起動し得る。
【００３１】
また、対話式利用のためのタッチ画面を含む一実施形態では、ステップ５０８において、タッチ画面は、小型表示装置３０６が起動されて光学要素２０２を通過する仮想画像を送信した時、停止される。光学要素２０２のモードは、近接センサがステップ５１０でオフになるまで、そのままである。近接センサがオンである限り、即ち、近接センサが５１０でオフにならない限り、仮想画像モードは、５１１において維持される。センサが５１２においてオフになると、実画像モードが起動され、仮想画像モードの高解像度仮想画像表示が停止され、タッチ画面が起動され、通常モード時、装置のカーソルを用い得る。
【００３２】
図７は、システムのモジュールを表す図である。図７に示すモジュールには、１つ又は複数の切換モジュール７０４と通信を行う近接検知モジュール７０２が含まれ、切換モジュール７０４は、第１モードモジュール７０６、第２モードモジュール７０８、タッチ画面システムモジュール７１０及び上述した他の構成要素７１２をオン／オフ切り換えするように動作し得る。第１モジュールは、通常の閲覧モード用の機能を内蔵し、第２モジュールは、眼近接モード用の機能を内蔵し得る。手動起動モジュール７１４は、自動切換モジュールに加えて設け得る。
【００３３】
図８において、図５、６及び７において言及したタッチ画面の一実施形態を示す。図８は、タッチ画面システムを含む複数の基板を示す。光学要素２０２は、実画像ＬＣＤ層３０２上にあるタッチ画面層構成８０２の上に配置されるが、これらは、一般的に並列である。一実施形態において、タッチ画面８０２には、配線アレイ（列）８０４、スペーサ８０６及び配線アレイ（行）８０８が含まれる。本実施形態において、タッチ検出システム８０２は、従来のタッチ画面とほとんど同様に、アクティブディスプレイ用の案内として用いられる。他の選択肢として、タッチ画面システム８０２は、光学要素２０２上に配置し得る。タッチ画面システム８０２は、容量性である。容量性タッチ画面には、近接“タッチ”するだけでよい。このように、容量性タッチ画面要素は、他の層の背後に配置し得る。人体の電気的特性は、指、及び指と容量性タッチ画面との間の空隙を通り抜ける。スタイラスを用いる場合、これには、容量性タッチ画面と作用する金属を含むべきである。
【００３４】
図９に示す他の実施形態において、抵抗層の３つの要素は、光学要素２０２上に置かれる。抵抗性のタッチ画面は、起動するために物理的な接触を必要とする。更に、用語「タッチ画面」は、透明な任意のタッチデバイスを意味する。一般的な意味で用いられるタッチパッドは、必ずしも透明とは限らない。この場合、図８の容量層８０２及び図９の抵抗性構成要素９０２は、ＬＣＤ層３０２及びＬＯＥ層２０２と共に用いられることから、透明である。図８において、容量性タッチ画面８０２は、ＬＯＥ層２０２の下及びＬＣＤ層３０２の下に配置される。図９において、抵抗性構成要素は、ＬＯＥ層２０２の上に配置される。
【００３５】
図９は、タッチ画面システム９０２を含む複数の基板を示す。図９に示すように、抵抗性構成要素９０２には、接着層９０６と組み合わせた抵抗層９０４及び９０８が含まれる。タッチした時、抵抗層９０４及び９０８は、移動して互いに充分に接近し、それらの間に電流が流れてタッチ画面が起動される。
【００３６】
また、図９には、ＬＣＤ層３０２の他の選択肢としての層を示す。層９１０、９１２、９１４及び９１６を含むポリマ分散液晶（ＰＤＬＣ）表示装置を示す。タッチ画面用途に用いられるＰＤＬＣは、タッチ画面用の背景を提供する。従って、キーパッドのキーの外形は、連続的に目で見ることができる。これらの層には、接着剤としての役割を果たすマスク層９１０と、背景を変化させ得るポリマ分散液晶（ＰＤＬＣ）層９１２と、異なる色の背景を提供するための反射色素９１４と、電圧を光に変換する（セグメント化された）エレクトロルミネッセンス（ＥＬ）９１６と、が含まれる。
【００３７】
図９の構成において、キーパッドシステムが、イベント及びその背面が照射された光シャッタを捕捉するタッチ検出システム内においてキーパッドとしての役割を果たす通常の閲覧モードでは、セルＰＤＬＣ／ＥＬ９１２／９１６は、動作領域（“キー”）を示す。仮想画像表示モードでは、ＰＤＬＣ／ＥＬ９１２／９１６の組合せをオフにして、中間の背景を提供し得る。
【００３８】
図８に示すタッチ検出システム８０２は、表示を遮ることから、通常、眼近接モード時、仮想画像の表示の間、入力として用い得ない。他の実施形態において、タッチ画面システム９０２は、画面の一部に設け得る、即ち、全体は互いに隣接して配置されたより小さい部分に分割でき、こうして、小さくなった部分を眼近接モード時、起動し得る。この構成は、携帯電話用途より大きな画面用途において更に有用であり得る。この構成において、タッチ画面システム８０２の一部は、眼近接モード時、起動し得る。
【００３９】
部分的に起動されるタッチ画面の他の選択肢として、携帯電話のキーパッドを用いてカーソルを動かし得る。上述したように、音声命令を用いて、カーソルを駆動し得る。このように、タッチ画面８０２は、眼近接モード時、起動する必要がない。
【００４０】
基板を上述したように組み合わせると、近くにある他のものを筐体内に含むのに充分なほど薄くなり得る少なくとも１つの構成が提供される。光学要素２０２の厚さは、通常、４ｍｍである。実画像ＬＣＤは、３乃至４ｍｍの厚さを有することができ、また、タッチ画面システム８０２は、厚さ約０．１ｍｍである。上述した光ガイド光学基板２０２及び関連する構成要素を備えた構成は、従来の光学装置に用いられるものより小さい。従来の光学装置には、接眼レンズ又は導波要素が含まれる。従って、本明細書に提供されたシステム及び装置は、従来の表示基板構成より小さいスペースを占有し得る。
【００４１】
筐体内において図３、４、８及び９を参照して述べた光学及び基板要素を支持する光学構成要素支持構造体は、スピーカ等の対象物用支持が含まれる音響室としての役割を果たし得る。このように、光学支持モジュールは、従来の別個の室の必要性及び関連する容積要件を解消し得る。このように、１つ又は複数のスピーカ１００２を筐体３０４の密閉された光学室に配置し得る。
【００４２】
図１０は、光学音響室を含む電子装置を表す。筐体３０４には、スピーカ支持体１００６が一体化される光学部品支持体１００４が含まれる。筐体３０４、光学部品支持体１００４及びスピーカ支持体１００６は、１つ又は複数の部位で構成し得る。他の実施形態において、減衰要素１００８を設けてよい。
【００４３】
図１０において、単一の（又は対の）１６ｍｍ多機能変換器（ＭＦＴ）及び６ｃｃ音響容積を示す。スピーカ支持体１００６によって、１つ又は複数のＭＦＴ（又はスピーカ）１００２は、筐体１００４の未使用容積を音響室として利用し得る。バックライト３１６、小型表示装置３０６、レンズ（１つ又は複数）３０８及び３１０、並びに反射板（１つ又は複数）３１２を含む上記光学システムは、構造体１００４によって支持され、様々な条件において、画像の整合性を提供する。
【００４４】
スピーカ支持体１００６と一体化された減衰要素１００８を設けて、スピーカが用いられる際、画像劣化を防止し得る。スピーカが振動している場合、それに直接接続されているものも振動し得る。従って、本明細書で述べた実施形態において、小型表示装置３０６は、振動し、そして、この振動が減衰されない限り、画像は明瞭に表示されない。また、小型表示装置３０６の寿命は、振動を減衰させない場合、短くなり得る。小型表示装置３０６及び他の要素を支持する支持体１００６の位置にエラストマのオーバーモールドを行うことによって、これらの装置への振動の伝達を低減し得る。他の材料には、ゴム、シリコン及びウレタンを含み得る。デュロメータ範囲４０Ａ乃至６０Ａの材料を利用し得る。
【００４５】
本開示は、如何にして本技術に基づく様々な実施形態を形成し用いるかについて説明するように意図されており、その真の意図した公正な範囲及び精神を限定するものではない。上記説明は、網羅的であることを意図したものではなく、又は、開示された厳密な形態に限定されるものではない。上述の教示内容に照らして、修正や変更が可能である。実施形態（１つ又は複数）は、説明された技術の原理及びその実用的な用途の最良の例示を提供するために、並びに、当業者が様々な実施形態において、また、考えられる特定の用途に適するような様々な修正により、本技術を利用し得るように選択され、また、説明された。そのような全ての修正や変更は、正当に、合法的に、また公正に権利が与えられる範囲に基づき解釈された場合、本特許出願の係属中に修正される可能性がある添付の請求項によって、また、その全ての等価物によって決定される本発明の範囲内にある。
【図面の簡単な説明】
【００４６】
【図１】眼近接モードで電子装置を操作するユーザ及びユーザによって知覚された画像の特徴の表現を示す図。
【図２】高解像度仮想画像を生成するために用いられる光学要素及び或る構成要素を示す図。
【図３】一方が仮想画像を提供する光学要素、他方が実画像又は近実画像表示ＬＣＤである２つの基板を有する電子装置を表す図。
【図４】少なくとも２つのモードで動作可能な単一の基板を有する電子装置を表す図。
【図５】２つの閲覧モードを切り換え、また、タッチ画面システムをオン／オフするための方法を表すフローチャートを示す図。
【図６】２種類の表示出力モードのコンテンツを示す図。
【図７】システムのモジュールを表す図。
【図８】タッチ画面システムを含む複数の基板を示す図。
【図９】他の構成要素に加えて、タッチ画面システムを含む複数の基板を示す図。
【図１０】光学音響室を含む電子装置を表す図。
【図１】
2008518368.tif 000003
【図２】
2008518368.tif 000004
【図３】
2008518368.tif 000005
【図４】
2008518368.tif 000006
【図５】
2008518368.tif 000007
【図６】
2008518368.tif 000008
【図７】
2008518368.tif 000009
【図８】
2008518368.tif 000010
【図９】
2008518368.tif 000011
【図１０】
2008518368.tif 000012
【国際調査報告】
2008518368.tif 000013
2008518368.tif 000014
2008518368.tif 000015